(57)【特許請求の範囲】
【請求項１】
スタンド（１）と、該スタンドに回動自在に設けたタンク収納容器（１０）と、上記スタンド又は上記タンク収納容器のいずれかに設けられ当該タンク収納容器を回動したときの姿勢を維持する姿勢維持手段（２０）とからなり、上記タンク収納容器は上面が開放されており外側に設けた支軸が上記スタンドに軸着され、上記タンク収納容器にポリタンクを収容して所望の回転角度に回動したときに、上記姿勢維持手段が上記スタンド又は上記タンク収納容器のいずれかと係合して傾斜した当該タンク収納容器の姿勢を維持する注出装置において、上記スタンドが、中央柱杆の後方に上記タンク収納容器の上記支軸と平行する方向の横棒（５）を設けたものであり、上記姿勢維持手段が、上記タンク収納容器に設けたケースから突出する方向に付勢されている係止爪（２１）を設けたものであり、上記タンク収納容器を回動したとき上記係止爪が上記横棒と係合して当該タンク収納容器の姿勢を維持することを特徴とするポリタンクの注出装置。
【請求項２】
スタンド（１）と、該スタンドに回動自在に設けたタンク収納容器（１０）と、上記スタンド又は上記タンク収納容器のいずれかに設けられ当該タンク収納容器を回動したときの姿勢を維持する姿勢維持手段（２０）とからなり、上記タンク収納容器は上面が開放されており外側に設けた支軸が上記スタンドに軸着され、上記タンク収納容器にポリタンクを収容して所望の回転角度に回動したときに、上記姿勢維持手段が上記スタンド又は上記タンク収納容器のいずれかと係合して傾斜した当該タンク収納容器の姿勢を維持する注出装置において、上記スタンドが、中央柱杆の後方に向って延びる側棒（７）を設けたものであり、上記姿勢維持手段が、上記側棒の自由端に側面視コ字形の係合枠（２５）を回動自在に設けたものであり、上記タンク収納容器を回動したとき該タンク収納容器が上記係合枠と係合して当該タンク収納容器の姿勢を維持することを特徴とするポリタンクの注出装置。
【発明の詳細な説明】
【０００１】
【発明の属する技術分野】
本発明は、灯油又は水を貯蔵するポリタンクから内容物を容器に移すための注出装置に関している。
【０００２】
【従来の技術】
例えば、ポリタンクに貯蔵した灯油を石油ストーブの燃料タンクに移すための給油ポンプはよく知られており、燃料タンクがストーブに固定されている場合、又は、タンクが独立して持運びできる場合のどちらも給油ポンプを使用している。近年では、電動式の給油ポンプが提案されていて給油作業を容易なものにしているが、電池交換の煩わしさもあってそれほど普及しているとは云えない。
【０００３】
しかしながら、給油を手動で行う石油ストーブを使用する限り、燃料タンクに灯油を補給する作業は毎日のように行う必要があるので、ポリタンク内の灯油を他の燃料タンクに移すための簡便な注出装置が望まれている。
【０００４】
又、ポリタンクは、灯油だけでなく飲料水を貯蔵するためにも使用されているので、本発明の注出装置は、何らの変更もしないでポリタンクに収容した水を他の容器に移すための注出装置としても利用できるものである。
【０００５】
【発明が解決しようとする課題】
本発明は、灯油又は水を貯蔵するポリタンク内の内容物を他の燃料タンク又は容器に移すための注出装置を提供することを課題としている。
【０００６】
【課題を解決するための手段】
解決手段の第１は、スタンドと、該スタンドに回転自在に設けたタンク収納容器と、上記スタンド又は上記タンク収納容器のいずれかに設けられ当該タンク収納容器を回動したときの姿勢を維持する姿勢維持手段とからなり、上記タンク収納容器は上面が開放されており外側に設けた支軸が上記スタンドに軸着され、上記タンク収納容器にポリタンクを収容して所望の回転角度に回動したときに、上記姿勢維持手段が上記タンク収納容器又は上記スタンドのいずれかと係合して傾斜した当該タンク収納容器の姿勢を維持する注出装置において、上記スタンドが、中央柱杆の後方に上記タンク収納容器の上記支軸と平行する方向の横棒を設けたものであり、上記姿勢維持手段が、上記タンク収納容器に設けられたケースから突出する方向に付勢されている係止爪を設けたものであり、上記タンク収納容器を回動したとき上記係止爪が上記横棒と係合して当該タンク収納容器の姿勢を維持することを特徴とするものである。
解決手段の第２は、スタンドと、該スタンドに回転自在に設けたタンク収納容器と、上記スタンド又は上記タンク収納容器のいずれかに設けられ当該タンク収納容器を回動したときの姿勢を維持する姿勢維持手段とからなり、上記タンク収納容器は上面が開放されており外側に設けた支軸が上記スタンドに軸着され、上記タンク収納容器にポリタンクを収容して所望の回転角度に回動したときに、上記姿勢維持手段が上記タンク収納容器又は上記スタンドのいずれかと係合して傾斜した当該タンク収納容器の姿勢を維持する注出装置において、スタンドが、中央柱杆の後方に向って延びる側棒を設けたものであり、姿勢維持手段が、上記側棒の自由端に側面視コ字形の係合枠を回動自在に設けたものであり、上記タンク収納容器を回動したとき該タンク収納容器が上記係合枠と係合して当該タンク収納容器の姿勢を維持することを特徴とするものである。
【０００７】
【発明の実施の形態】
第１実施例
図１から図３が第１実施例を示している。これらの図においてスタンド１は、台枠２と台枠２の中央部に平行して立設した２本の中央柱杆３と、台枠２の後方部に中央柱杆３と同一間隔で平行して立設し上方部分が横棒５によって連結された２本の後方柱杆４とからなっている。６は中央柱杆３と後方柱杆４を連結した補強杆である。
【０００８】
上記中央柱杆３の先端には、タンク収納容器１０が回動自在に設けられている。ここで、タンク収納容器１０は、上面が開放された箱体であって、外側両面に中央柱杆３の長手方向に直交する方向の支持軸１１を突設し、これを中央柱杆３の自由端に設けた軸受筒体１２内に回動自在に挿入したものである。なお、タンク収納容器１０の支持軸１１は、該タンク収納容器１０の重心位置よりも上方に設置することにより、タンク収納容器１０を自由状態にしたとき、上面開放部を上方に向けた姿勢となるものである。
【０００９】
上記タンク収納容器１０は支持軸１１を中心に回動可能であって、図において、該タンク収納容器１０を時計方向に回動して上面開放部が垂直になったときに、この位置の姿勢を維持する姿勢維持手段２０を設けている。ここで、姿勢維持手段２０は、タンク収納容器１０の外側壁に設けた係止爪２１を含み、該係止爪２１は、タンク収納容器１０を回動して該タンク収納容器１０が所望する姿勢となったときに、上記スタンド１の横棒５と係合する位置に設けられている。なお、係止爪２１はケース２２内に先端を該ケース２２から突出して収容されており、該ケース２２内に装着したスプリングにより当該ケース２２から突出する方向に付勢されている。２３は係止爪２１を手動で後退させる摘みである。
【００１０】
実施例で、姿勢維持手段２０はタンク収納容器１０の一方の外側壁に設けられているが、両側の外壁に設けることができることは勿論である。又、姿勢維持手段２０は実施例に限定されることなく、係止爪構造以外の手段も適用できるものである。
【００１１】
図２、図３を参照して、係止爪２１は、タンク収納容器１０を時計方向に回動して該タンク収納容器１０の上面開放部が垂直角度に達する直前でスタンド１の横棒５に当接し、横棒５を通過するときはケース２２内に後退し、横棒５を通過するとケース２２内のスプリングによって再び突出して当該横棒５に係合する。係止爪２１はタンク収納容器１０が反対方向に回動するのを阻止し、タンク収納容器１０を上面開放部が垂直になった姿勢で維持する。タンク収納容器１０は、中央柱杆３の頂部を支点として回動するので、後方柱杆４がタンク収納容器１０に近接して設けられているときは、後方柱杆４の間にはタンク収納容器１０の底部が通過する空間が必要となる。
【００１２】
図中、３０はポリタンクであり、タンク収納容器１０の上面開放部から挿入するものである。３１はポリタンク３０の注出口に取り付けた注入ノズルであり、蛇腹構造に形成した可撓部３２とコック栓３３を有するものである。３４はポリタンク３０の注入口に取り付けたキャップ、３５は燃料タンクであって、ここではストーブから取り外して持運びできる構造のものである。
【００１３】
図２において、ポリタンク３０をタンク収納容器１０に挿入し、タンク収納容器１０を時計方向に回動すると、姿勢維持手段２０が横棒５を通過したときに該横棒５に係合してタンク収納容器１０が反対方向に回動するのを阻止する。図３に示すポリタンク３０は横向きとなっている。次いで、燃料タンク３５の注入口に注入ノズル３１を差し込み、コック栓３３をゆるめて燃料タンク３５にポリタンク３０内の灯油を給油する。この時、ポリタンク３０内が負圧になって給油が中断されるようであれば、キャップ３４をゆるめてポリタンク３０内に空気を送るとよい。
【００１４】
給油作業が終ったときはコック栓を締める。この時、タンク収納容器１０並びにポリタンク３０は、次に給油するまで横向きの状態のままでもよいが、係止爪２１と横棒５の係合を外せば、タンク収納容器１０及びポリタンク３０は図２に示すような元の状態に復帰する。
【００１５】
第２実施例
図４から図６が第２実施例を示している。これらの図において第１実施例と同じ符号をつけた部材は、第１実施例と同じ部材を示しているので詳しい説明は省略している。
【００１６】
スタンド１は、台枠２に設けた中央柱杆３が傾斜部３ａを介して後方柱杆４と一体に形成されている。又、中央柱杆３には、後方に向って延びる側棒７が設けられており、該側棒７の自由端に姿勢維持手段２０を設けている。ここで、姿勢維持手段２０は、側棒７の自由端に設けた側面視コ字形の係合枠２５であって、該係合枠２５は上記側棒７に回動自在に設けられている。
【００１７】
タンク収納容器１０は、額縁状の縁部枠１０ａに、前方側部枠１０ｂ及び後方側部枠１０ｃ並びに底部枠１０ｄを一体形成したものであって、縁部枠１０ａに設けた支持軸１１によって中央柱杆３に回動自在に設けられている。
【００１８】
タンク収納容器１０を、各図において時計方向に回動すると、タンク収納容器１０は、後方側部枠１０ｃが姿勢維持手段２０の係合枠２５を押しながら回動する。回動開始時に係合枠２５は後方側部枠１０ｂと係合しているが、係合枠２５は、タンク収納容器１０が回動し続けると、後方側部枠１０ｃと底部枠１０ｄの隅部を乗り越えて反対側の前方側部枠１０ｂに達する。この時、係合枠２５が前方側部枠１０ｂの底部近くに設けたストッパー２６を乗り越えたら、タンク収納容器１０の回動を中止する。
【００１９】
タンク収納容器１０は、図６に示すように、ストッパー２６が係合枠２５と係合したことで反対方向に回動するのが阻止され、横向き状態のままの姿勢が維持される。タンク収納容器１０に挿入したポリタンク３０から内容物を注出する手順は、第１実施例の場合と同様である。
【００２０】
この他、タンク収納容器１０の縁部枠１０ａにポリタンク脱落防止のための保護バンド３６が設けられている。保護バンド３６は、先端に設けたフック金具３７を縁部枠１０ａに設けた係止穴３８に装着してタンク収納容器１０が傾斜したときポリタンクの脱落を防止するものである。
【００２１】
なお、保護バンド３６は第２実施例に設けたが、第１実施例においてもこれを設けることができることは勿論である。
【００２２】
【発明の効果】
本発明は、ポリタンクを収容したタンク収納容器を傾斜させ、傾斜した姿勢を維持できるものであるから、ポリタンクに設けた注入ノズルから燃料タンク又は他の容器にポリタンク内の灯油又は水をポンプ操作をすることなく移すことができる効果がある。
【図面の簡単な説明】
【図１】  本発明の注出装置の第１実施例を示す全体の斜視図。
【図２】  第１実施例による注出装置にポリタンクを収容した状態を示す側面図。
【図３】  第１実施例による注出装置に収容したポリタンクの内容物を別容器に移している状態を示す側面図。
【図４】  本発明の注出装置の第２実施例を示す全体の斜視図。
【図５】  第２実施例による注出装置にポリタンクを収容した状態を示す側面図。
【図６】  第２実施例による注出装置に収容したポリタンクの内容物を別容器に移している状態を示す側面図。
【符号の説明】
１  スタンド
２  台枠
３  中央柱杆
４  後方柱杆
５  横棒
６  補強杆
７  側棒
１０  タンク収納容器
１１  支持軸
２０  姿勢維持手段
２１  係合爪
２２  ケース
２３  摘み
２５  係合枠
２６  ストッパー
３０  ポリタンク
３１  注入ノズル
３２  可撓部
３３  コック栓
３４  キャップ
３５  燃料タンク
３６  保護バンド
【図１】
0004038382.tif 000002
【図２】
0004038382.tif 000003
【図３】
0004038382.tif 000004
【図４】
0004038382.tif 000005
【図５】
0004038382.tif 000006
【図６】
0004038382.tif 000007